(57)【要約】【課題】味噌汁作りの際、誰もが簡単に味噌の量が量れ、調理道具を３つも使わず、１つで味噌汁を片手で美味しく作れる味噌漉しおたまを提供することにある。【解決手段】おたまのスプーン部の中央に網１を設けた網つきおたまＡと前記網つきおたまＡの上に重なるサイズのおたまＢとして、２本のおたまの柄の先を連結部５で連結し、前記網つきおたまＡの柄２と前記おたまＢの柄３との間に、バネ４を配設し、そのバネは、前記網つきおたまＡの上に前記おたまＢを重ねた時、２本のおたまの柄同士が離れる方向に作用する力を生むものであることを特徴とし、前記網つきおたまＡのスプーン部に味噌計量用人数目盛りを設けた味噌濾しおたまである。【選択図】図１
2012034994.tif 000002
【特許請求の範囲】
【請求項１】
おたまのスプーン部の中央に網１を設けた網つきおたまＡと前記網つきおたまＡの上に重なるサイズのおたま Ｂとして、２本のおたまの柄の先を連結部５で連結し、前記網つきおたまＡの柄２と前記おたまＢの柄３との間に、バネ４を配設し、そのバネは、前記網つきおたまＡの上に前記おたまＢを重ねた時、２本のおたまの柄同士が離れる方向に作用する力を生むものであることを特徴とする味噌濾しおたま。
【請求項２】
前記網つきおたまAのスプーン部に味噌計量用人数目盛りを設けたことを特徴とする請求項１の味噌漉しおたま。
【発明の詳細な説明】
【技術分野】
【０００１】
本発明は、味噌汁を作るときに、１つの調理道具でかつ味噌を計量し、味噌を漉し、味噌汁を掬い、お椀に注ぐ味噌漉しおたまに関するものである。
【背景技術】
【０００２】
従来味噌汁を作るに、両手を使い、味噌を掬う物、味噌漉しの網、おたまの３つの調理道具が必要であった。
【０００３】
例えば、味噌汁を作るおたまとして（特許文献１）は、片方の手で味噌をすくい、もう一方の手でおたまを持ち両手を使用する。また（特許文献２）は、片方の手でおたまを持ち、もう一方の手で計量目盛り付き味噌溶き具を持ちながら、両手で味噌汁を作っていた。後者は、味噌漉しの網を使うと、３つの調理道具を使用していた。味噌汁作りに不慣れな方や外国の方、手の不自由な方には不便であり、片手で１つの調理道具で味噌汁を作れるものは存在しなかった。
【先行技術文献】
【特許文献】
【０００４】
【特許文献１】特開２００７−１４４０６号公報
【特許文献２】特開２００３−６１８４０号公報
【発明の概要】
【発明が解決しようとする課題】
【０００５】
解決しようとする問題点は、片手で誰もが簡単に味噌を計量でき、調理道具を３つも使わず、味噌汁を作れる味噌漉しおたまを提供することにある。
【課題を解決するための手段】
【０００６】
前記目的を達成するため、請求項１に記載された発明は、おたまのスプーン部の中央に網１を設けた網つきおたまＡと前記網つきおたまＡの上に重なるサイズのおたまＢとして、２本のおたまの柄の先を連結部５で連結し、前記網つきおたまＡの柄２と前記おたまＢの柄３との間に、バネ４を配設し、そのバネは、前記網つきおたまＡの上に前記おたまＢを重ねた時、２本のおたまの柄同士が離れる方向に作用する力を生むものであることを特徴とする味噌濾しおたまである。
【０００７】
また、請求項２に記載された発明は、前記網つきおたまAのスプーン部に味噌計量用人数目盛りを設けたことを特徴とする請求項１の味噌漉しおたまである。
【発明の効果】
【０００８】
請求項１，請求項２に記載の発明によれば、味噌漉しおたまは、調理道具を３つも使う煩わしさと味噌の量に迷う悩みを解決し、簡単に味噌を計量し、味噌を漉  し、味噌汁をお椀に注ぐことが可能となり、片手で簡単に誰でも美味しい味噌汁を作ることができる。
【０００９】
その上、味噌漉しおたまは、調理道具を３つ出さないため、台所スペースの節約と洗い物の減少になり、料理の効率化につながる。
【００１０】
さらに、味噌漉しおたまは、味噌漉しとしてだけでなく、カレールウやシチュールウ、また固形コンソメを鍋で溶かす時にも便利であり、味噌をすくう網１に味噌の代わりにカレールウ、シチュールウ、固形コンソメをのせて使用すると、手早く溶け損ねのない料理が可能となる。
【００１１】
離乳食作りの際に、味噌をすくう網に味噌の代わりに軟らかく煮た野菜をのせてトングの動作で使用すると、野菜マッシュができ、手早く野菜ペーストを作ることが可能である。
【図面の簡単な説明】
【００１２】
【図１】本発明の実施の形態に係る味噌漉しおたまを味噌漉しとしてトングの動作を            して使用する状態を示す斜視図である。
【図２】本発明に係る味噌漉しおたまで味噌を計量する時と、味噌汁をお椀に注ぐ状            態を示す斜視図である。
【発明を実施するための形態】
【００１３】
以下、図面を参照して、符号を使い、この発明の実施の形態を説明する。    
Ａ網つきおたまは、スプーン部が網で構成されていて、Ｂおたまは、スプーン部に孔の開いてない通常のおたまである。    
図１において、前記網つきおたまＡのスプーン部は、網１を設けてあり、前記網つきおたまＡのスプーン部には、味噌計量用人数目盛りを設けている。味噌計量目盛りは、スプーン部の内面縁部に例えば、２，４，６，として、表示している。前記網つきおたまＡの柄２の上にバネ４を設ける。もう１本の前記おたまＢの柄３の先端と前記網つきおたまＡの柄２の先端は、それぞれ長孔を有し、連結部５が通ることで連結されている。この実施形態では、前記連結部５は、薄板をリング状にした筒型を有し、前記網つきおたまＡと前記おたまＢがスムーズに連結部５を中心に回転可能であり、図１に示すようにトングの動作が可能であり、図２に示すように前記網つきおたまＡと前記おたまＢがぴったり重なる構造である。
【００１４】
図１において、前記おたまＢの柄３のスプーン部の根元の部位に凹６を設けて、網つきおたまＡのスプーン部の根元の同じ部位に凸７を設ける。図２において、凹６と凸７が、お互いが嵌り合うことで、２本のおたまが一体化でき、１本のおたまとして使用可能である。なお、この実施例によれば、前記網つきおたまＡの下に前記おたまＢがぴったり重なる構造であり、柄２、柄３の長さと巾は、同じであり、前記網つきおたまＡと前記おたまＢが上下逆であっても、スプーン部のカーブが重なる形状である。
【００１５】
この実施例によれば、バネ４の形状は、洗い易さや省スペースであるゆえ、Ｕ字形の板バネを設けたが、コイルバネ、線状の折り曲げバネ、バネ全般であり、弾性の力を使用できるものを使ってもよい。
【００１６】
バネ４の場所において、この実施例によると柄２の上にあるが、図１のようにＡの上にＢを重ねたとき、２本のおたまの柄同士が、離れる力を生むような形態であるとよい。よって、柄２と柄３の間であれば、柄３の下の位置にバネ４を配設することも可能である。また、バネ４の位置は、２本のおたまの柄同士の離れる力が大きくなる為、連結部５に近い方がより最適である。
【００１７】
この実施例によれば、前記網つきおたまＡは網であるが、網に代えて孔つきおたまや、多数の小孔つきおたま、多数の細長いスレートつきおたまでの使用も可能である。
【００１８】
なお、素材において、丈夫で耐久性のあるオールステンレスやプラスチックや木製であるとよい。高価になるが、前記オールステンレスの味噌漉しおたまの表面にポリプロピレンやシリコン樹脂を接着するのもよい。
【００１９】
なお、前記連結部５の素材が、ステンレスの金属製であれば、柄２、柄３の先端の長孔の周囲は、前記連結部５と接触する部分にポリプロピレンやシリコン樹脂を接着すると、金属同士の擦れあう嫌な音や嫌な感じを避けられる。
また、図１で前記おたまＢのスプーン部の外側は、前記網つきおたまＡの網１に  接触するため、前記おたまＢのスプーン部の外側の表面にポリプロピレンやシリコン樹脂を接着すると、金属同士の擦れあう嫌な音や嫌な感じを避けられる。                          また、図１のこの実施例によれば、バネ４は、柄３と接触するため、バネ４の表面にポリプロピレンやシリコン樹脂を接着すると、金属同士の擦れあう嫌な音や嫌な感じを避けられる。
以上のことから、接触する表面は、どちらか一方にポリプロピレンやシリコン樹脂を接着すると、心地よく使用することができる。
【００２０】
以下、本発明に係る味噌漉しおたまの使用方法について説明する。
図２において、本発明に係る味噌漉しおたまで、味噌を計量し、味噌汁をお椀に注ぐ状態を示す斜視図である。まず、図２に示すように味噌を計量するため、凹６と凸７をぴったり嵌めて、前記おたまＢを前記網つきおたまＡの下に重ね、人数分目盛りを使い、人数分の味噌を掬い計量する。
【００２１】
次に、図１に示すように味噌を漉すために、前記連結部５を中心に前記おたまＢを前記網つきおたまＡの上に回転させる。そして、おたまのスプーン部を味噌汁を作る鍋のだし汁の中に入れ、前記網つきおたまＡの柄２と前記おたまＢの柄３を握って放すトングの動作により、味噌を押しつぶしたり、すりつぶしたりして、漉すことができる。
【００２２】
最後に、味噌を漉した後、完成した味噌汁からスプーン部を出し、再び図２に示すように、前記連結部５を中心に前記おたまBを前記網つきおたまAの下に回転させる。凹６と凸７をぴったり嵌めて、前記網つきおたまＡの網１に溜まった味噌かすを捨てて、そのまま図２の状態で通常のおたまとして、完成した味噌汁を掬い、お椀に注ぐ。
【００２３】
また、離乳食作りで野菜のマッシュを作る際の形態として、柄２と柄３の長さを短く、太くし、前記網つきおたまＡと前記おたまＢのスプーン部を深く変形すると、野菜が網１のスプーン部からこぼれずに使い易い。
【産業上の利用可能性】
【００２４】
味噌汁作りに不慣れな方や外国の方、手の不自由な方には、両手を使い味噌を計量し、味噌を漉す作業は不便であったが、１つの調理道具で味噌汁を美味しく作れるので、大豆の需要も増加し、スローフードが広まる味噌漉しおたまである。
【００２５】
味噌の量もわかるので、海外の方にも日本の味噌汁を広めることが可能であり、カレーやシチュー作りにも便利なゆえ、多様な料理に使用でき、国際的にも役に立つ味噌漉しおたまである。
【００２６】
赤ちゃんから乳児を育てる際、離乳食初期に味噌汁の上澄みを飲ませるのが常であり、味噌汁作りは欠かせない。ぐずったり、泣き止まない赤ちゃんを抱っこしたまま料理することも多く、味噌汁は必ず両手が必要であり、大変な作業であったが、赤ちゃんを育てるお母さんや離乳食作りするお母さんには、心強い味噌漉しおたまである。
【符号の説明】
【００２７】
１    網
２    Ａの柄
３    Ｂの柄
４    バネ
５    連結部  
６    凹
７    凸
Ａ    網つきおたま
Ｂ    おたま
【図１】
2012034994.tif 000003
【図２】
2012034994.tif 000004